(57)【要約】【課題】  Ｗｅｂ上で拡散している話題を把握して、広告を配信するタイミングとその配信先を制御する広告配信制御サーバ等を提供する。【解決手段】  広告配信制御サーバは、ＳＮＳ、ブログ等のＷｅｂサイトで所定の話題に関連するキーワードを検索して、その検索結果からＷｅｂ上に拡散している話題を検知し、クローラによって拡散している話題に関連するＷｅｂページのＵＲＬを収集する。収集したＵＲＬはパブリックＤＭＰに送信され、ＵＲＬにアクセスしている所定の属性に該当するユーザを選択する。選択されたユーザを広告の配信対象に決定して、アドネットワークからこれらのユーザに広告を配信することによって、所定の話題が拡散しているタイミングで、その話題に関心があることが推測されるユーザに速やかに広告を配信することが可能になる。【選択図】        図１
2018092292.tif 000002
【特許請求の範囲】
【請求項１】
広告を配信するタイミングとその配信先を制御する広告配信制御サーバであって、
所定のＷｅｂサイトを対象に、所定の話題に関連するキーワードを検索する検索手段と、
前記検索手段による検索結果から、検索したキーワードに関連する話題が拡散しているかを判定する判定手段と、
前記判定手段により前記話題が拡散していると判定されると、Ｗｅｂ上をクローリングして前記話題に関連するＷｅｂページのＵＲＬを収集する収集手段と、
前記収集手段が収集したＵＲＬにアクセスした所定の条件に合致するユーザを、前記話題と関連付けられた広告の配信先に決定する決定手段と、
を備えることを特徴とする広告配信制御サーバ。
【請求項２】
前記決定手段は、前記ＵＲＬにアクセスしたユーザのうち、ユーザの属性又は行動履歴の少なくともいずれかが所定の条件に合致するユーザを、前記配信先に決定すること
を特徴とする請求項１記載の広告配信制御サーバ。
【請求項３】
前記決定手段は、Ｗｅｂページにアクセスしたユーザを特定するＤＭＰサーバに前記収集手段が収集したＵＲＬを送信し、前記ＤＭＰサーバから返信された前記ＵＲＬにアクセスした所定の条件に合致するユーザを、前記配信先に決定すること
を特徴とする請求項１又は２記載の広告配信制御サーバ。
【請求項４】
前記判定手段は、前記検索手段によって検索したキーワード又はキーワードの組合せに該当する件数が所定の閾値を超過する場合に、前記話題が拡散していると判定すること
を特徴とする請求項１乃至３いずれかに記載の広告配信制御サーバ。
【請求項５】
広告を配信するタイミングとその配信先を制御する広告配信制御サーバが、所定のＷｅｂサイトを対象に、所定の話題に関連するキーワードを検索する検索ステップと、
前記広告配信制御サーバが、前記検索ステップにおける検索結果から、検索したキーワードに関連する話題が拡散しているかを判定する判定ステップと、
前記広告配信制御サーバが、前記判定ステップにおいて前記話題が拡散していると判定されると、Ｗｅｂ上をクローリングして前記話題に関連するＷｅｂページのＵＲＬを収集する収集ステップと、
前記広告配信制御サーバが、前記収集手ステップで収集したＵＲＬにアクセスした所定の条件に合致するユーザを、前記話題と関連付けられた広告の配信先に決定する決定ステップと、
を有することを特徴とする広告配信の制御方法。
【発明の詳細な説明】
【技術分野】
【０００１】
本発明は、広告を配信するタイミングとその配信先を制御する広告配信制御サーバ及び広告配信の制御方法に関するものである。
【背景技術】
【０００２】
インターネットの利用拡大に伴い、広告媒体としてのインターネットの重要性も極めて大きなものとなっており、「アドテクノロジー」と呼ばれるインターネットにおける広告配信技術が急速な進歩を遂げるようになっている。近年は、「アドネットワーク」と呼ばれる広告配信ネットワークを利用することで、広告主は様々な条件を設定しながら多数のＷｅｂサイトに一括で広告を配信できるようになっている。
【０００３】
アドテクノロジーにおいては、広告がより高い効果を生むように、広告の対象に興味があるユーザが閲覧するＷｅｂページに効率的に広告を表示させる仕組みが求められるが、属性や行動履歴からユーザの興味を解析して、広告の対象に興味を持っていることが推測されるユーザが閲覧するＷｅｂページに広告を配信する方法（例えば、特許文献１参照。）が、よく用いられている。
【０００４】
広告の効果を高めるためには、ユーザの興味に合致させるだけでなく、広告を配信するタイミングも重要な要素となる。こうした課題に対しては、例えば、配信開始と配信終了の情報を入力することによって、広告主が広告を配信するタイミングを制御することができる発明（特許文献２参照。）や、ユーザの位置情報や加速度センサー等の情報からユーザの状態を推測し、ユーザが広告を見やすい状態にあると判断された際に広告を配信するようにタイミングを制御する発明（特許文献３参照。）等が開示されている。
【先行技術文献】
【特許文献】
【０００５】
【特許文献１】特開２０１１−２３８０２０号公報
【特許文献２】特開２０１６−４４２６号公報
【特許文献３】特開２０１６−１２６６３３号公報
【発明の概要】
【発明が解決しようとする課題】
【０００６】
特許文献２記載の発明は広告主側の、特許文献３記載の発明は広告の配信先となるユーザ側の、それぞれ個別の事情に応じて広告を配信するタイミングを制御するものであり、こうした技術を採用すれば、広告の配信タイミングを局所的に最適化することが期待できるものの、社会全体のトレンド等を広く捉えて、広告を配信するタイミングを調整することに資するものではない。
【０００７】
例えば、あるテレビ番組の放送中に番組内に登場している商品には、多くの人が興味を持っていることが推測されるが、そのタイミングでその商品に興味を持ったユーザをターゲットに広告を配信することができれば、より高い効果を生むことが期待できるはずである。あるスポーツの試合中に、その試合で活躍している選手に関連する商品を、その選手のファンが多い年齢層のユーザをターゲットに広告を配信するようなケースも同様であり、こうした特定の話題（テーマ）に関するトレンドは、Ｗｅｂ上での拡散状況から把握できるはずである。
【０００８】
本発明は、このような課題に対応するためになされたものであり、Ｗｅｂ上で拡散している話題を把握して、広告を配信するタイミングとその配信先を制御する、広告配信制御サーバ及び広告配信の制御方法を提供することを目的とするものである。
【課題を解決するための手段】
【０００９】
このような課題を解決する本発明は、広告を配信するタイミングとその配信先を制御する広告配信制御サーバであって、所定のＷｅｂサイトを対象に、所定の話題に関連するキーワードを検索する検索手段と、前記検索手段による検索結果から、検索したキーワードに関連する話題が拡散しているかを判定する判定手段と、前記判定手段により前記話題が拡散していると判定されると、Ｗｅｂ上をクローリングして前記話題に関連するＷｅｂページのＵＲＬを収集する収集手段と、前記収集手段が収集したＵＲＬにアクセスした所定の条件に合致するユーザを、前記話題と関連付けられた広告の配信先に決定する決定手段と、を備えることを特徴とする広告配信制御サーバである。
【００１０】
このように、本発明では、ＳＮＳやブログ等のＷｅｂサイトを対象にしたキーワード検索によって拡散している話題を検知し、その話題に関連するＷｅｂページにアクセスしているユーザを拡散している話題と関連付けられた広告の配信先に決定することによって、ある話題についてＷｅｂ上で盛り上がっているタイミングで、その話題に興味があると推測されるユーザに対して、速やかに広告を配信することが可能となる。
【００１１】
また、本発明は、前記決定手段は、前記ＵＲＬにアクセスしたユーザのうち、ユーザの属性又は行動履歴の少なくともいずれかが所定の条件に合致するユーザを、前記配信先に決定することを特徴とすることもできる。
【００１２】
このように構成すると、ある話題に興味があることが推測されるユーザの全てに対してではなく、その中から、年齢や性別、居住地等の属性、あるいは広告主のＷｅｂサイトに過去に訪問したことがあるユーザ等の条件で絞り込んだユーザのみを対象に選択して、広告を配信することが可能になる。
【００１３】
また、本発明は、前記決定手段は、Ｗｅｂページにアクセスしたユーザを特定するＤＭＰサーバに前記収集手段が収集したＵＲＬを送信し、前記ＤＭＰサーバから返信された前記ＵＲＬにアクセスした所定の条件に合致するユーザを、前記配信先に決定することを特徴とすることもできる。
【００１４】
このように構成すると、いわゆるＤＭＰ（Data Management Platform）に備えられるＷｅｂページにアクセスしたユーザを特定する機能を有しないサーバでも、パブリックＤＭＰ（オープンＤＭＰ）を活用することによって、本発明を実施することが可能になる。
【００１５】
また、本発明は、前記判定手段は、前記検索手段によって検索したキーワード又はキーワードの組合せに該当する件数が所定の閾値を超過する場合に、前記話題が拡散していると判定することを特徴とすることもできる。
【００１６】
このように構成すると、様々なＷｅｂサイトを対象にして、話題が拡散しているかどうかを効率的に判定することが可能になる。
【００１７】
また、本発明は、本発明に係る広告配信制御サーバによって実行される、広告配信の制御方法として特定することもできる。
【００１８】
すなわち、本発明に係る広告配信の制御方法は、広告を配信するタイミングとその配信先を制御する広告配信制御サーバが、所定のＷｅｂサイトを対象に、所定の話題に関連するキーワードを検索する検索ステップと、前記広告配信制御サーバが、前記検索ステップにおける検索結果から、検索したキーワードに関連する話題が拡散しているかを判定する判定ステップと、前記広告配信制御サーバが、前記判定ステップにおいて前記話題が拡散していると判定されると、Ｗｅｂ上をクローリングして前記話題に関連するＷｅｂページのＵＲＬを収集する収集ステップと、前記広告配信制御サーバが、前記収集手ステップで収集したＵＲＬにアクセスした所定の条件に合致するユーザを、前記話題と関連付けられた広告の配信先に決定する決定ステップと、を有することを特徴とする広告配信の制御方法である。
【００１９】
また、本発明に係る広告配信の制御方法は、先に説明した本発明に係る広告配信制御サーバの各々の構成によって実行される、広告配信の制御方法として特定することもできる。
【発明の効果】
【００２０】
本発明によると、Ｗｅｂ上で拡散している話題を検知し、その拡散中の話題に興味を持っていると推測されるユーザを広告の配信先に決定することができるので、特定の話題が拡散しているタイミングで、その話題に興味がありそうなユーザに対して速やかに広告を配信して、広告の効果を高めることが可能になる。
【図面の簡単な説明】
【００２１】
【図１】本発明の実施形態の概要を示す図である。
【図２】本発明に係る広告配信制御サーバの構成の一例を示すブロック図である。
【図３】本発明による広告配信の処理フローの一例を示すフローチャートである。
【発明を実施するための形態】
【００２２】
本発明を実施するための形態について、図面を用いて以下に詳細に説明する。尚、以下の説明は、本発明の実施形態の一例を示したものであって、本発明は以下に説明する実施形態に限定されるものではない。
【００２３】
図１は、本発明の実施形態の概要を示している。本発明に係る広告配信制御サーバは、Ｗｅｂ上から所定の情報を収集するクローラの機能と、キーワード検索によって拡散している話題を判定する機能を備えている。広告配信制御サーバは、ＳＮＳ、ニュース配信等のメディア、ブログ、ＢＢＳ等のＷｅｂサイトを対象に所定の話題に関連するキーワードを検索して、その検索結果からＷｅｂ上に拡散している話題を検知し、クローラによって拡散している話題に関連するＷｅｂページのＵＲＬを収集する。
【００２４】
広告配信制御サーバが収集したＷｅｂページのＵＲＬはパブリックＤＭＰに送信され、パブリックＤＭＰでは、それらのＵＲＬにアクセスしているユーザを識別するＩＤ（アドネットワークでユーザの識別が可能なオーディエンスＩＤ）を特定する。特定されたユーザは、拡散している話題に興味を持つユーザであることが推測されるが、パブリックＤＭＰではユーザ毎に属性や行動履歴が管理されていて、特定されたユーザのうち、属性や行動履歴が所定の条件に合致するユーザを絞り込んで、絞り込まれたユーザのＩＤ（オーディエンスＩＤ）を広告配信制御サーバに返信する。
【００２５】
広告配信制御サーバには、所定の話題が拡散した際に配信する広告が関連付けて管理されていて、拡散している所定の話題に興味を持っていることが推測され、かつ属性等が所定の条件に合致するパブリックＤＭＰから受信したユーザのＩＤ（オーディエンスＩＤ）と、その話題が拡散したタイミングで配信する、表示する広告の画像ファイル等の広告クリエイティブ（広告クリエイティブがあらかじめアドネットワークで保持されている場合は広告クリエイティブを識別する情報）を、アドネットワークにおいて広告の配信が可能なアドネットワークサーバに送信する。
【００２６】
尚、広告クリエイティブをあらかじめアドネットワークに送信して、アドネットワークで保持されている場合は、広告配信制御サーバを介さずに、パブリックＤＭＰから直接アドネットワークに、ユーザのＩＤ（オーディエンスＩＤ）と広告クリエイティブを識別する情報を送信することとしてもよい。
【００２７】
アドネットワークでは、広告の掲載が可能なＷｅｂページの広告枠や、広告ソース、各々の広告枠への入札条件などが管理されていて、広告配信制御サーバから受信したＩＤ（オーディエンスＩＤ）に対応するユーザがアクセスしたＷｅｂページの広告枠に、広告配信制御サーバから受信した広告クリエイティブを表示させるよう設定して、拡散している話題に興味があることが推測されるユーザに、当該話題に関連する広告（広告が当該話題とあらかじめ関連付けて設定されていれば、広告対象自体が当該話題と内容的に直接関連するものでなくてもよい）を配信する。配信された広告は、図１に例示したように、ユーザが操作するＰＣ等のネットワーク端末に開かれたＷｅｂページの一部に出力される。
【００２８】
図２は、本発明に係る広告配信制御サーバの構成の一例を示しているが、図２の広告配信制御サーバ１０が、本発明に係る広告配信制御サーバに対応する。広告配信制御サーバ１０は、インターネットに接続されたコンピュータであって、ＣＰＵ、メインメモリ、ＨＤＤ等の補助記憶装置が備えられ、メインメモリに補助記憶装置から対応するプログラムを呼び出して、ＣＰＵで演算処理を実行することによって、所定の機能が実現される。
【００２９】
広告配信制御サーバ１０のキーワード検索部１３、話題拡散判定部１４、ＵＲＬ収集部１５、ＵＲＬ送信部１６、ＩＤ受信部１７、ＩＤ・広告送信部１８は、いずれも機能的に特定されるものであって、各部に対応するプログラムが補助記憶装置からメインメモリに呼び出され、ＣＰＵで演算処理を実行することによって、各部に対応する機能が実現される。また、話題情報格納部１１、広告情報格納部１２には、広告配信制御サーバ１０の補助記憶装置の所定の記憶領域が割り当てられる。
【００３０】
広告配信制御サーバ１０として用いられるコンピュータの物理的な構成は特に限定されるものではなく、広告配信制御サーバ１０に対応する機能が一台のコンピュータによって実現されるものであってもよいし、複数のコンピュータによって実現されるものであってもよい。広告配信制御サーバ１０に対応する機能を備えたコンピュータに、本発明に係る広告配信制御以外の他の機能が備えられるものであってもよい。
【００３１】
Ｗｅｂサイト群２０には、インターネットに接続され、Ｗｅｂ上で様々な情報を提供するＷｅｂサーバが該当し、ＳＮＳを提供するＳＮＳサーバ２１、ニュース等を配信するメディアサーバ２２、ブログの配信に用いられるブログザーバ２３、電子掲示板のサービスを提供するＢＢＳサーバ２４等を含むことができる。これらのＷｅｂサーバもＰＣやスマートフォン等のネットワーク端末にインターネット経由で情報を提供できるものであればよく、その物理的な構成は特に限定されるものではない。
【００３２】
パブリックＤＭＰサーバ３０も、インターネットに接続されたコンピュータであって、ＣＰＵ、メインメモリ、ＨＤＤ等の補助記憶装置が備えられ、メインメモリに補助記憶装置から対応するプログラムを呼び出して、ＣＰＵで演算処理を実行することによって、所定の機能が実現される。
【００３３】
パブリックＤＭＰサーバ３０の行動履歴収集部３１、ユーザ特定部３３、ユーザ選択部３４は、いずれも機能的に特定されるものであって、各部に対応するプログラムが補助記憶装置からメインメモリに呼び出され、ＣＰＵで演算処理を実行することによって、各部に対応する機能が実現される。また、ユーザ情報格納部３２には、パブリックＤＭＰサーバ３０の補助記憶装置の所定の記憶領域が割り当てられる。
【００３４】
アドネットワークサーバ４０は、インターネットに接続され、Ｗｅｂページを閲覧しているＰＣやスマートフォン等のネットワーク端末に、所定の条件に従って広告を配信する機能を備えるものであればよく、その物理的な構成は特に限定されるものではない。ユーザ端末５０には、インターネットに接続可能な、ＰＣやスマートフォン、タブレット型コンピュータ等のネットワーク端末が用いられる。
【００３５】
以上の構成を前提に、図３のフローチャートに従って、本発明による広告配信の処理フローについて説明する。
【００３６】
本発明の実施に際しては、はじめに配信対象となる広告について、どのような話題が拡散しているタイミングでどのようなターゲットに広告配信するかストーリーを想定して、その話題が拡散していると判定するための監視対象となるキーワードを、広告配信制御サーバ１０に設定する（Ｓ１）。具体的には、広告配信制御サーバ１０の話題情報格納部１１に、配信する広告を識別する情報と関連付けて、拡散していることをトリガにして広告を配信する話題と、話題が拡散しているかを判定するための話題に関連するキーワードを格納する。広告情報格納部１２には、広告を識別する情報と関連付けて、表示する広告の画像ファイル等の広告クリエイティブが格納される。
【００３７】
尚、話題が拡散していると判定するための監視対象として設定されるキーワードは、一の話題に対して一のキーワードが設定されるものであってもよいが、例えば「キーワードＡ及びキーワードＢを含む」、「キーワードＡを含むがキーワードＢを含まない」のように、複数のキーワードの組合せ設定することとしてもよい。
【００３８】
広告配信制御サーバ１０では、所定のタイミングでキーワード検索部１３を起動して、ＳＮＳへの投稿やニュースサイトに掲載された記事、ブログのエントリー等、Ｗｅｂサイト群２０に含まれる所定のＷｅｂサイトを対象に、話題情報格納部１１に格納された話題に関連するキーワードを検索して、キーワードに合致するＷｅｂ上の話題に関連するＳＮＳへの投稿やニュースサイトに掲載された記事、ブログのエントリー等を収集する（Ｓ２）。
【００３９】
話題拡散判定部１４では、収集された話題に関連する情報の件数、具体的には、キーワード又はキーワードの組合せに該当する件数（キーワード又はキーワードの組合せを含むＳＮＳへの投稿件数やニュースサイトに掲載された記事の件数等）が、所定の閾値を超過するかを確認して、話題が拡散しているか否かを判定する（Ｓ３）。
【００４０】
話題が拡散していると判定されなければ（Ｓ３がＮｏ）、キーワード検索部１３が起動される次のタイミングまで待機することになるが、話題が拡散していると判定された場合（Ｓ３がＹｅｓ）には、クローラに該当するＵＲＬ収集部１５が起動され、Ｗｅｂ上をクローリングして拡散している話題に関連するＷｅｂページのＵＲＬを収集する（Ｓ４）。ＵＲＬの収集については、例えば、Ｓ２のキーワード検索でヒットしたＳＮＳへの投稿等にＵＲＬのリンクが貼られている場合には、リンクが貼られたＵＲＬをそのまま採用することとしてもよい。
【００４１】
尚、ここでクローリングの対象となるＷｅｂサイトは、Ｓ２で話題の拡散状況を判定するためのキーワードの検索対象となったＷｅｂサイト群２０に限定されるものではなく、より広範なＷｅｂサイトを対象とすることが好ましい。
【００４２】
ＵＲＬ収集部１５で拡散している話題に関連するＷｅｂページのＵＲＬが収集されると、それらのＵＲＬをＷｅｂページにアクセスしたユーザを特定する機能を備えたパブリックＤＭＰサーバ３０に送信する（Ｓ５）。
【００４３】
パブリックＤＭＰサーバ３０では、行動履歴収集部３１でインターネットユーザのＷｅｂ上での行動履歴（Ｗｅｂページへのアクセス履歴や操作履歴等）を収集しており、収集した情報をユーザ毎のユーザ情報として、ユーザ情報格納部３２に格納して管理している。ユーザ情報には、いずれかのＷｅｂサイトにおいて取得されたユーザの性別、年齢、居住地等の属性情報を含むことができる。ユーザ情報格納部３２にユーザ情報が格納されているユーザは、アドネットワークサーバ４０が属するアドネットワークでユーザの識別が可能なオーディエンスＩＤによって識別可能となっている。
【００４４】
パブリックＤＭＰサーバ３０が広告配信制御サーバ１０で収集したＵＲＬを受信すると、ユーザ特定部３３が、ユーザ情報格納部３２に格納されたユーザの行動履歴を参照して、受信したＵＲＬに対応するＷｅｂページを閲覧しているユーザを特定する。
【００４５】
Ｗｅｂページを閲覧しているユーザは、各々のＷｅｂサイトで発行されたＣｏｏｋｉｅによって特定することができるが、ユーザ情報格納部３２のユーザ情報に各々のＷｅｂサイトで発行されたＣｏｏｋｉｅとオーディエンスＩＤを関連付けておくことによって、広告配信制御サーバ１０から受信したＵＲＬに対応するＷｅｂページを閲覧しているユーザのオーディエンスＩＤを特定することができる。
【００４６】
さらに、ユーザ選択部３４では、ユーザ特定部３３で特定されたユーザから、ユーザ情報格納部３２に格納されたユーザの行動履歴や属性情報を参照して、広告主のＷｅｂサイトに過去に訪問したことがある等の行動履歴が所定の条件に合致するユーザや、性別や年齢等の属性が所定の条件に合致するユーザ（行動履歴と属性を掛け合わせた条件であってもよい）を選択して、広告の配信対象となるユーザを絞り込む。尚、絞り込むユーザの行動履歴や属性にどのような条件を指定するかは、収集したＵＲＬとあわせて広告配信制御サーバ１０から受信することとすればよい。
【００４７】
このようにして、行動履歴や属性が所定の条件に合致するユーザが広告配信制御サーバ１０で収集したＵＲＬに対応するＷｅｂページを閲覧していることが確認できれば（Ｓ６がＹｅｓ）、それらのユーザのオーディエンスＩＤが広告配信制御サーバ１０に送信される。該当するユーザがいなければ（Ｓ６がＮｏ）、ここで処理を終了する。
【００４８】
パブリックＤＭＰサーバ３０から送信されたユーザのオーディエンスＩＤは広告配信制御サーバ１０のＩＤ受信部１７で受信されるが、受信されたオーディエンスＩＤにより識別されるユーザが、広告の配信対象となるユーザに決定される。ＩＤ・広告送信部１８では、広告の配信対象に決定されたユーザのオーディエンスＩＤと、広告情報格納部１２から読み出したユーザに配信する広告クリエイティブをアドネットワークサーバ４０に送信して、アドネットワークに配信対象となるユーザを指定した広告を入札する（Ｓ７）。
【００４９】
ここで、パブリックＤＭＰサーバ３０から受信したユーザのオーディエンスＩＤと、配信する広告クリエイティブを紐付ける方法は特に限定されるものではないが、例えば、配信する広告クリエイティブに対応する広告の識別情報を広告配信制御サーバ１０からパブリックＤＭＰサーバ３０へのリクエストに指定しておき、パブリックＤＭＰサーバ３０からのレスポンスにもこの識別情報を付すことによって、受信したユーザのオーディエンスＩＤと配信する広告クリエイティブを紐付けることが可能になる。
【００５０】
また、配信する広告クリエイティブをあらかじめアドネットワークサーバ４０に送信し、アドネットワークサーバ４０で広告クリエイティブを保持しておくことも可能であり、その場合は広告配信制御サーバ１０からアドネットワークサーバ４０へは、広告クリエイティブそのものに換えて広告クリエイティブに対応する広告の識別情報を送信することとすればよい。このように構成する場合は、広告配信制御サーバ１０を介することなく、パブリックＤＭＰサーバ３０からアドネットワークサーバ４０に、広告の配信対象となるユーザのオーディエンスＩＤと、配信する広告クリエイティブに対応する広告の識別情報を、直接送信することとしてもよい。
【００５１】
尚、本発明において、関連するキーワードが監視される話題と、その話題が拡散したタイミングで配信される広告の対象商品等の関係について、ある商品カテゴリーに関する話題が拡散しているときにその商品カテゴリーに属する自社商品の広告を配信するようなケースが典型的なパターンとして想定されるが、両者が直接的に関連するものでなく、何らかの連想（例えば、お笑いネタに関する話題が拡散していれば多くの人がリラックスした状況にあることが推測されるので、そのタイミングでレジャーに関する広告を配信する等）に基づいて結びついたものであってもよい。
【符号の説明】
【００５２】
１０  広告配信制御サーバ
１１  話題情報格納部
１２  広告情報格納部
１３  キーワード検索部
１４  話題拡散判定部
１５  ＵＲＬ収集部
１６  ＵＲＬ送信部
１７  ＩＤ受信部
１８  ＩＤ・広告送信部
２０  Ｗｅｂサイト群
２１  ＳＮＳサーバ
２２  メディアサーバ
２３  ブログザーバ
２４  ＢＢＳサーバ
３０  パブリックＤＭＰサーバ
３１  行動履歴収集部
３２  ユーザ情報格納部
３３  ユーザ特定部
３４  ユーザ選択部
４０  アドネットワークサーバ
５０  ユーザ端末
【図１】
2018092292.tif 000003
【図２】
2018092292.tif 000004
【図３】
2018092292.tif 000005